(57)【要約】【課題】中央スイッチの周辺に複数のスイッチを配置したスイッチユニットの構成において、ユニット全体を単純な構成にして部品点数を削減するとともにコストダウンを図る。【解決手段】単一の中央スイッチ１０及び中央スイッチ１０の周辺の上下左右の４箇所に位置する周辺スイッチ１１ａ〜１１ｄが実装された回路基板Ａと、周辺スイッチ１１ａ〜１１ｄを操作する第１操作部２０をカバー部２１の開口部２５において支持部２２を用いて支持することで第１操作部２０及びカバー部２１を一体的に構成した第１部材Ｂと、中央スイッチ１０を操作する第２操作部３０及び第２操作部３０から回路基板Ａに平行に延出する延出部３１ａ〜３１ｃを備えた第２部材Ｃと、を用いてスイッチユニット５０を構成する。【選択図】図１
2004349085.tif 000002
【特許請求の範囲】
【請求項１】
単一の中央スイッチ及び該中央スイッチの周辺に位置する複数の周辺スイッチを実装した回路基板と、
前記複数の周辺スイッチのそれぞれに対向する複数の突起及び略中央に形成された挿通孔を有する第１操作部と、前記回路基板に設けられた係合部に係合する複数の係合ピン及び開口部を有するカバー部と、前記第１操作部を前記開口部内において回路基板に接離する方向に移動自在に支持する複数の支持部と、を一体的に有する第１部材と、
前記中央スイッチに対向する突起を有するとともに前記挿通孔に回路基板側から挿通する第２操作部と、前記第２操作部から前記回路基板に平行に延出するとともに開放端に前記係合ピンが嵌入する貫通孔を有する複数の延出部材であって係合ピンが貫通孔を介して前記係合部に係合した状態で第２操作部を前記挿通孔内において回路基板に接離する方向に移動自在に支持する延出部材と、を有する第２部材と、
を備え、前記各操作部の回路基板に対する接離方向の動作に伴う前記各突起の変位に応じて前記各スイッチをＯＮ／ＯＦＦすることを特徴とするスイッチユニット。
【請求項２】
前記係合ピンは、前記貫通孔の貫通方向の長さよりも長く、
前記係合部は、回路基板に設けられた係合孔であることを特徴とする請求項１に記載のスイッチユニット。
【発明の詳細な説明】
【０００１】
【発明の属する技術分野】
この発明は、ポータブルミニディスクプレーヤ等の機器の外装パネル等に設けられる機器の操作等を行うためのスイッチユニットに関する。
【０００２】
【従来の技術】
従来より、ポータブルミニディスクプレーヤ、携帯電話器等の機器の外装パネル等に設けられた機器の操作等を行うためのスイッチユニットには、単一の中央スイッチ及び中央スイッチの周辺における等間隔の４箇所に位置する周辺スイッチを回路基板上に配置し、周辺スイッチを択一的にＯＮ／ＯＦＦする第１操作部及び中央スイッチをＯＮ／ＯＦＦする第２操作部を備えたものがある。上記各操作部を操作することで各スイッチをＯＮ／ＯＦＦして機器の操作等の入力の受付を行う。例えば、中央スイッチは選択した実行メニューの決定の入力を受け付け、周辺スイッチは実行メニューの選択の入力の受け付ける。
【０００３】
また、従来のスイッチ装置には、押込み操作に基づいて第１のスイッチング要素を操作する４方向に揺動可能な第１の操作ノブと第１の操作ノブの中央部分に設けられ、摺動操作に基づいて第２のスイッチング要素を操作する第２の操作ノブとを有するものがある（例えば、特許文献１参照。）。
【０００４】
【特許文献１】
実開平７−１９９３３号公報
【０００５】
【本発明が解決しようとする課題】
しかしながら、上述のような周辺スイッチ及び中央スイッチを備えたスイッチユニットの構成では、構成が複雑になるにも関わらず部品点数の削減が十分に考慮されていないため、部品点数が十分に削減されておらず、コストが高くなってしまっている。
【０００６】
また、上述の特許文献１のスイッチ装置の構成では、操作音を緩和するための構成を適用するために部品点数の増加を抑えてはいるが、装置全体の構成の部品点数の削減は十分に考慮されていないため、部品点数が十分に削減されておらず、コストが高くなってしまっている。
【０００７】
この発明の目的は、ユニット全体を単純な構成にして部品点数を削減するとともにコストダウンを図ることができる中央スイッチ周辺に複数のスイッチを有するスイッチユニットを提供することにある。
【０００８】
【課題を解決するための手段】
この発明は、上記の課題を解決するために、以下の構成を備えている。
【０００９】
（１）単一の中央スイッチ及び該中央スイッチの周辺に位置する複数の周辺スイッチを実装した回路基板と、
前記複数の周辺スイッチのそれぞれに対向する複数の突起及び略中央に形成された挿通孔を有する第１操作部と、前記回路基板に設けられた係合部に係合する複数の係合ピン及び開口部を有するカバー部と、前記第１操作部を前記開口部内において回路基板に接離する方向に移動自在に支持する複数の支持部と、を一体的に有する第１部材と、
前記中央スイッチに対向する突起を有するとともに前記挿通孔に回路基板側から挿通する第２操作部と、前記第２操作部から前記回路基板に平行に延出するとともに開放端に前記係合ピンが嵌入する貫通孔を有する複数の延出部材であって係合ピンが貫通孔を介して前記係合部に係合した状態で第２操作部を前記挿通孔内において回路基板に接離する方向に移動自在に支持する延出部材と、を有する第２部材と、
を備え、前記各操作部の回路基板に対する接離方向の動作に伴う前記各突起の変位に応じて前記各スイッチをＯＮ／ＯＦＦすることを特徴とする。
【００１０】
この構成においては、単一の中央スイッチ及び中央スイッチの周辺に位置する複数の周辺スイッチが実装された回路基板と、複数の周辺スイッチを操作する第１操作部がカバー部と一体的に構成されるように開口部内において複数の支持部により回路基板に対して接離自在に支持される構成を有する第１部材と、中央スイッチを操作する第２操作部が挿通孔に回路基板側から挿通されるとともに係合ピンが第２操作部から回路基板に平行に延出する延出部の貫通孔を介して係合部と係合した状態で第２操作部が挿通孔内において延出部により回路基板に対して接離自在に支持される構成を有する第２部材と、がスイッチユニットに備えられ、各操作部の回路基板に対する接離動作に伴う各突起の変位に応じて各スイッチがＯＮ／ＯＦＦされる。
【００１１】
したがって、回路基板、第１部材及び第２部材を用いてスイッチユニットが構成されるので、スイッチユニットの構成が複雑になることがなく、部品点数が増加することがない。
【００１２】
（２）前記係合ピンは、前記貫通孔の貫通方向の長さよりも長く、
前記係合部は、回路基板に設けられた係合孔であることを特徴とする。
【００１３】
この構成においては、係合ピンが貫通孔の貫通方向の長さよりも長く、係合部が回路基板に設けられた係合孔であるので、係合ピンが貫通孔を貫通して係合孔に嵌入されることで係合ピンが係合部と係合する。したがって、係合部の構成が複雑になることがなく、部品点数が増加することがない。
【００１４】
【発明の実施の形態】
図１は、この発明の実施形態に係るスイッチユニットの概略の構成を示す斜視図である。図２は、この発明の実施形態に係るスイッチユニットの概略の構成を示す上面図である。図３は、この発明の実施形態に係るスイッチユニットの概略の構成を示す断面図である。図１に示すように、この発明の装置本体であるスイッチユニット５０は、回路基板Ａ、第１部材Ｂ及び第２部材Ｃ等から構成され、図７に示すようなポータブルミニディスクプレーヤ１００等の機器に適用され、機器の操作等の入力を受け付ける。
【００１５】
回路基板Ａは、中央スイッチ１０と中央スイッチ１０の周辺における等間隔の４箇所に位置する周辺スイッチ１１ａ〜１１ｄとが基板上に実装されている。各スイッチ１０、１１ａ〜１１ｄは、押圧されることで電気的にＯＮする。また、回路基板Ａは、この発明の係合部である３つの係合孔１２ａ〜１２ｃを備えている。
【００１６】
第１部材Ｂは、第１操作部２０、カバー部２１及び２つの支持部２２、２２等から構成されている。第１操作部２０は、円盤形状を呈し、回路基板Ａの実装面に所定の間隔を設けて対向する。また、第１操作部２０は、図３に示すように回路基板Ａに設けられた周辺スイッチ１１ａ〜１１ｄに対向するように突起２３ａ〜２３ｄを設けている。突起２３ａ〜２３ｄは、第１操作部１０の回路基板Ａに対する接離動作に伴って各周辺スイッチ１１ａ〜１１ｄを押圧する。また、第１操作部２０は、略中央に後述する第２操作部が挿通する挿通孔２４が形成されている。
【００１７】
カバー部２１は、回路基板Ａの実装面に対向し、開口部２５を備えている。また、カバー部２１は、回路基板Ａ側に３つの係合ピン２６ａ〜２６ｃを備えている。回路基板Ａの実装面に平行な２つの支持部２２、２２は、Ｕ字形状であって弾性的な性質を有する。また、２つの支持部２２、２２は、開口部２５において、一端がカバー部側に連続し且つ他端が第１操作部２０側に連続しており、第１操作部２０を回路基板Ａに対して接離する方向に移動自在に支持する。上記構成により、第１操作部２０とカバー部２１とが支持部２２、２２を介して一体的に構成される。なお、この発明の実施形態では、２つの支持部２２が用いられているが、特にこれに限定されるものではなく、複数であれば適切に第１操作部２０を支持することができる。
【００１８】
第２部材Ｃは、第２操作部３０、３つの延出部３１ａ〜３１ｃ等から構成される。第２操作部３０は、円筒形状を呈し、回路基板Ａの実装面に所定の間隔を設けて対向する。また、第２操作部２０は、図３に示すように内部に中央スイッチ１０に対向するように突起３２を設けている。突起３２は、第２操作部３０の回路基板Ａに対する接離動作に伴って中央スイッチ１０を押圧する。延出部３１ａ〜３１ｃは、弾性的な性質を有し、図２に示すように回路基板Ａに平行に第２操作部３０から放射上に延出している。また、延出部３１ａ〜３１ｃは、図３に示すように開放端に貫通孔３３ａ〜３３ｃを備えている。
【００１９】
貫通孔３３ａ〜３３ｃは、係合ピン２６ａ〜２６ｃをそれぞれ貫通させ、第１部材Ｂを支持する。また、貫通孔３３を貫通した係合ピン３３ａ〜３３ｃを回路基板Ａに設けられた係合孔１２ａ〜１２ｃにそれぞれ嵌入する。これにより、第１部材Ｂ及び第２部材Ｃを適切に回路基板Ａに固定することができ、また延出部３１ａ〜３１ｃによって第２操作部３０が回路基板Ａに接離する方向に移動自在に支持される。
【００２０】
上記の第１部材Ｂ及び第２部材Ｃが適切に回路基板Ａに固定された状態で、例えば第１操作部２０の突起２３ｂの位置する付近の上面を押下すると、図４に示すように第１操作部２０の押下した付近が支持部２２の弾性変形に伴って回路基板Ａに接近し、突起２３ｂが周辺スイッチ１１ｂを押圧する。これにより、周辺スイッチ１１ｂがＯＮする。一方、第１操作部２０の押下を止めると図３に示すように押下する前の状態に戻って周辺スイッチ１１ｂはＯＦＦする。
【００２１】
また、第２操作部３０を押下した場合も上記と同様、図５に示すように延出部３１ａ〜３１ｃの弾性変形に伴って第２操作部３０が回路基板Ａに接近して突起３２が中央スイッチ１０を押圧する。これにより、中央スイッチ１０がＯＮする。一方、第２操作部３０の押下を止めると図３に示すように押下する前の状態に戻って中央スイッチ１０はＯＦＦする。
【００２２】
なお、この発明の実施形態では、貫通孔３３ａ〜３３ｃの貫通方向の長さよりも長い係合ピン２６ａ〜２６ｃを用いているが、特にこれに限定されるものではなく、貫通孔３３ａ〜３３ｃの貫通方向の長さよりも短い係合ピンでもよい。
【００２３】
例えば、図６に示すように回路基板Ａ上に係合ピン２６ａ〜２６ｃに対向するようにこの発明の係合部として基板側係合ピン１３ａ〜１３ｃを設け、上記基板側係合ピン１３ａ〜１３ｃを貫通孔３３ａ〜３３ｃの回路基板Ａ側から嵌入する。これによって、貫通孔３３ａ〜３３ｃを介してカバー部２１の係合ピン２６ａ〜２６ｃと回路基板Ａの基板側係合ピン１３ａ〜１３ｃとが係合される。
【００２４】
上述の構成のように、この発明のスイッチユニット５０を回路基板Ａ、第１部材Ｂ及び第２部材Ｃを用いて構成することによって、スイッチユニット５０の構成を単純にできるので、部品点数を低減でき、コストダウンを図ることができる。
【００２５】
また、貫通孔３３ａ〜３３ｃの貫通方向の長さよりも長い係合ピン２６ａ〜２６ｃを用いることによって、回路基板Ａに係合孔１２ａ〜１２ｃを設けるだけで係合ピン２６ａ〜２６ｃを回路基板Ａに容易に係合できるので、部品点数をより低減でき、コストダウンをより図ることができる。
【００２６】
なお、この発明の実施形態では、３つの延出部３１ａ〜３１ｃが用いられているが、特にこれに限定されるものではなく、複数であれば上記と同様の効果を得ることができる。また、この発明の実施形態では、中央スイッチ１０の周辺の４箇所に周辺スイッチ１１ａ〜１１ｄが設けられているが、特にこれに限定されるものではなく、周辺スイッチが中央スイッチ１０の周辺に複数設けられていれば上述と同様の効果を得ることができる。
【００２７】
【発明の効果】
この発明によれば、以下の効果を奏することができる。
【００２８】
（１）回路基板、第１部材及び第２部材を用いてスイッチユニットを構成することによって、ユニット全体の構成を単純にできるので、部品点数を低減でき、コストダウンを図ることができる。
【００２９】
（２）係合ピンが貫通孔の貫通方向の長さよりも長く、係合部を回路基板に設けられた係合孔とすることによって、係合ピンを貫通孔に貫通して係合孔に嵌入することで係合ピンと係合部とを容易に係合させることができ、係合部の構成を単純にできるので、部品点数をより低減でき、コストダウンをより図ることができる。
【図面の簡単な説明】
【図１】この発明の実施形態に係るスイッチユニットの概略の構成を示す斜視図である。
【図２】同スイッチユニットの概略の構成を示す上面図である。
【図３】同スイッチユニットの概略の構成を示す断面図である。
【図４】同スイッチユニットの概略の構成を示す断面図である。
【図５】同スイッチユニットの概略の構成を示す断面図である。
【図６】同スイッチユニットの一部の構成を拡大した断面図である。
【図７】同スイッチユニットを適用したポータブルミニディスクプレーヤの外観を示す斜視図である。
【符号の説明】
１０−中央スイッチ
１１ａ〜１１ｄ−周辺スイッチ
１２ａ〜１２ｃ−係合孔
１３ａ〜１３ｃ−基板側係合ピン
２０−第１操作部
２１−カバー部
２２−支持部
２３ａ〜２３ｄ−突起
２４−挿通孔
２５−開口部
３０−第２操作部
３１ａ〜３１ｃ−延出部
３２−突起
３３ａ〜３３ｃ−貫通孔
５０−スイッチユニット
Ａ−回路基板
Ｂ−第１部材
Ｃ−第２部材
【図１】
2004349085.tif 000003
【図２】
2004349085.tif 000004
【図３】
2004349085.tif 000005
【図４】
2004349085.tif 000006
【図５】
2004349085.tif 000007
【図６】
2004349085.tif 000008
【図７】
2004349085.tif 000009